(57)【要約】【課題】  バイパス路に調整弁を配置する必要がないにも拘わらず、流路を流れる被測定液の流速が変化しても連続して測定が可能であるばかりか、構造も簡単で安価に且つ多量に提供することが可能な流通形ｐＨ電極のホルダーとする。【解決手段】  被測定液３を搬送する流路６に分岐させたバイパス路７に直列に配置される流通形ｐＨ電極用ホルダーであって、バイパス路７に連結するための流入口５２と流出口５３および流通形ｐＨ電極１の測定部の差込口を有する所定容量の測定部４が形成されており、且つ流出口５３の断面積を減少させて流入口５２から流出する被測定液３の流量を一定の範囲に調整することにより測定部４における流速を流通形ｐＨ電極１の測定に適した圧力範囲に設定可能とする。【選択図】図１
2008215826.tif 000002
【特許請求の範囲】
【請求項１】
被測定液を搬送する流路に分岐させたバイパス路に直列に配置される流通形ｐＨ電極用ホルダーであって、前記バイパス路に連結するための流入口と流出口および流通形ｐＨ電極におけるセンサー部の差込口を有する所定容量の測定部が形成されており、且つ前記流出口の断面積を減少させて前記流入口から流出する被測定液の流量を一定の範囲に調整することにより前記測定部における流速を前記流通形ｐＨ電極の測定に適した圧力範囲に設定可能にすることを特徴とする流通形ｐＨ電極用ホルダー。
【請求項２】
前記流出口における被損邸液の流速が流入口における流速の１０％以下に減速される請求項１に記載の流通形ｐＨ電極用ホルダー。
【請求項３】
前記流出口に所定径の透孔を形成した減速板を装着することにより流出口における流速を減速させる請求項１または２に記載の流通形ｐＨ電極用ホルダー。
【発明の詳細な説明】
【技術分野】
【０００１】
本発明は、微量の被測定液を用いて流体のｐＨ（水素イオン濃度）を連続的に測定することができる流通形ｐＨ電極用のホルダーに関するものである。
【背景技術】
【０００２】
従来、微量の被測定液を用いてｐＨ（水素イオン濃度）を連続的に測定することができる流通形ｐＨ電極が提案されており、例えば配管中を流れる被測定液を連続して測定することを可能にしている。
【０００３】
図３は現在実用化されている配管中を流れる被測定液を連続して測定する流通形ｐＨ電極の一例を示すものであり、通常、配管２の途中に直列に配置された前記流通形ｐＨ電極１のセンサー部１１を露出させた状態で被測定液３の所定の容積を有する測定部４を形成したホルダー５を用いて測定するものである。
【０００４】
ところで、現在市販されている流通形ｐＨ電極１は所定の圧力範囲（例えば０〜１０ｋｇ／ｃｍ2程度）において正確な値を連続的に測定可能なものが殆どである。
【０００５】
そのため、被測定液の搬送速度が流通形ｐＨ電極１の測定に適した所定の圧力範囲にあればよいが、通常の場合には被測定液の搬送速度はｐＨ電極１の測定に適した前記所定の圧力範囲を越えている場合が多い。
【０００６】
従って、従来における流通形ｐＨ電極１を用いる測定については、図４に示すように、被測定液を搬送する流路６にバイパス路７を分岐させて、このバイパス路７に流通形ｐＨ電極１用のホルダー５を直列に配置し、バイパス路７のホルダー５を挟む上流側と下流側に配置した例えば流量調節バルブのような調整弁８，８更には流路６に備えた調整弁９を調整してホルダー５の測定部４（図３参照）における被測定液の流速（接触圧力）を測定に適した値に調整する必要があった。
【発明の開示】
【発明が解決しようとする課題】
【０００７】
本発明は、上記のような問題点を解決するためになされたものであり、バイパス路７に調整弁を配置する必要がないにも拘わらず、流路６を流れる被測定液の流速が変化しても連続して測定が可能であるばかりか、構造も簡単で安価に且つ多量に提供することが可能な流通形ｐＨ電極のホルダーを提供することを課題とする。
【課題を解決するための手段】
【０００８】
前記課題を解決するためになされた本発明は、被測定液を搬送する流路に分岐させたバイパス路に直列に配置される流通形ｐＨ電極用ホルダーであって、前記バイパス路に連結するための流入口と流出口および流通形ｐＨ電極の測定部の差込口を有する所定容量の測定部が形成されており、且つ前記流出口の断面積を減少させて前記流入口から流出する被測定液の流量を一定の範囲に調整することにより前記測定部における流速を前記流通形ｐＨ電極の測定に適した圧力範囲に設定可能にすることを特徴とする。
【０００９】
ホルダーの流出口の断面積を減少させて測定部から流出する被測定液の流量を所定の範囲に制限して測定部における被測定液を流通形ｐＨ電極の測定に適した流速にすることにより連続的に測定を可能にする。また、前記バイパス路に高価な調整弁や制御装置を備える必要もない。
【００１０】
また、前記流出口における被測定液の流速が流入口における流速の１０％以下に減速される場合には通常の流速でバイパス路を搬送される被測定液のホルダー内の測定部における流速を流通形ｐＨ電極の測定に適したものにすることができる。
【００１１】
更に、前記流出口に所定径を形成した減速板を装着する場合には、きわめて簡単に且つ安価に流出口における流速を減速させることができる。
【発明の効果】
【００１２】
本発明は、流路やパイパス路に複数の調整弁やこれらの調整弁の制御装置などを必要とせずに被測定液を確実に且つ連続して測定することができる。また、構造も簡単で安価に提供できるばかりか、従来のホルダーを容易に改造することもできるなど優れた経済的高価を発揮するものである。
【発明を実施するための最良の形態】
【００１３】
次に、図面を参照して本発明を実施するための最良の形態を説明する。
【００１４】
図１及び図２は本発明における最良の実施の形態の一例を示すものであり、全体的な構成は前記図３及び図４に示した従来から実施されているものと同様であり、ホルダー５は全体がほぼ３口の管接続具のような形状を呈し、被測定液３を搬送する流路６から分岐したバイパス路７に直列に配設される。
【００１５】
そして、ホルダー５は、中心頂部に流通形ｐＨ電極１のセンサー部１１を所定の容積を有する測定部４に露出させた状態で取り付けるための取付部５１が形成されているとともに、横方向に前記バイパス路７に連結して被測定液３を測定部４に通過させるための流入口５２と流出口５３が形成されている。
【００１６】
さらに、本実施の形態では、特に、前記ホルダー５内の流出口５３に例えば中心に小さい径の透孔１０１を形成した減速板１０が配置されている。
【００１７】
以上の構成を有する本実施の形態は、流路６を流れる被測定液３が分岐したバイパス路７に分流してホルダー５の流入口５２から測定部４に進入する。そして、通常、前記図３に示した従来例の場合には、同じ流速で、流出口５３から流出して再び流路６に合流する。
【００１８】
ところが、本実施の形態では、流出口５３には流入口５２の口径ａよりも小径ｂの透孔１０１を有する減速板１０が配置されている。従って、測定部４から流出する被測定液３は、流出口５３に配置された減速板１０の流入口５２の口径ｄ２よりも小さい口径ｄ１を有する透孔１０１によって断面積が減少して流量が制限されるので、前記径ｄ１を流入口５２から測定部４に進入する被測定液３の液圧と測定部４における被測定液３の設定流速とから所定の範囲に定めておくことにより、測定部４を流れる被測定液３の流速を常に一定にすることができる。
【００１９】
このように本実施の形態によれば、図３に示した流入口５２と流出口との口径が等しい従来のホルダー５のように、バイパス路７に調整弁８，８を配置して流量を経時的に調整する必要がない。
【００２０】
加えて、本実施の形態では、流出口５３の断面積を減少させるために、流出口５３の口径を小さく形成するのではなく、小径ｂの透孔１０１を有する減速板１０を流出口５３に配置したきわめて簡単な構成としたので、組立並びに保守や交換も容易で、特に前記図３に示した従来のホルダー５をそのまま用いて簡単に改造することもできる。
【００２１】
特に、減速板１０に形成される透孔１０１は、前記流出口における被損邸液の流速が流入口における流速の１０％以下に減速される場合には、例えば水道管のような径や被測定物を所定の液圧で搬送させる流路６やバイパス路７を含めて、通常の液状被測定物の搬送について充分に使用範囲に含まれる。
【００２２】
尚、本実施の形態では、流通形ｐＨ電極１を用いる場合を示したが、本発明は、流通形ｐＨ電極１と同種の測定が可能な酸化還元電位電極など他の流通形の電極にも用いることができることは言うまでもない。
【図面の簡単な説明】
【００２３】
【図１】（ａ）は本発明における最適な実施形態の一例を示す部分縦断面図、（ｂ）は図１のＢ−Ｂ線断面図、（ｃ）は図１のＣ−Ｃ線断面図。
【図２】図１に示した実施の形態の使用状態を示す概略説明図。
【図３】従来例を示す示す部分縦断面図。
【図４】図３に示した実施の形態の使用状態を示す概略説明図。
【符号の説明】
【００２４】
１  流通形ｐＨ電極、  ３  被測定液、４  測定部、５  ホルダー、６  流路、７  バイパス路、１１  センサー部分、５２  流入口、５３  流出口、１０  減速板、１０１  透孔
【図１】
2008215826.tif 000003
【図２】
2008215826.tif 000004
【図３】
2008215826.tif 000005
【図４】
2008215826.tif 000006